(57)【要約】【課題】内筒を外筒にはめ込むだけで両者が係合し、内筒を所定の角度回転するという操作を不要とした内筒交換式のシリンダ錠を提供することにある。【解決手段】スリット内に平板状で内部に内筒交換キーの挿通孔を形成したストッパーをはめ込み、かつ該ストッパーはスリット内において上端が前記スリットに内装したバネの弾発力で外筒に係合して前記内筒を係止するよう付勢されており、他方、前記外筒の内周面に内筒の挿入方向に沿って前記ストッパーの挿入ガイド溝を形成し、かつ挿入ガイド溝の適所に内筒装着時にストッパーの上端を係止する突条を周方向に沿って形成することにより内筒が外筒内に抜け止めされ、さらに前記突条がストッパーの挿入方向に沿って後傾させてあり、内筒の挿入時にストッパーが該突条の後傾部分で押し下げられて、内筒が無理なく外筒内に装着されるようにしたことを特徴とする内筒交換式のシリンダ錠。【選択図】    図７
0003131463.tif 000002
【実用新案登録請求の範囲】
【請求項１】
鍵孔に連通して直交状に形成されたスリットを有する内筒と、この内筒が装填される外筒とを備え、前記鍵孔に挿し込む内筒交換キーの操作で内筒が外筒から抜き取り自在に形成された内筒交換式のシリンダ錠において、前記スリット内に平板状で内部に内筒交換キーの挿通孔を形成したストッパーをはめ込み、かつ該ストッパーはスリット内において上端が前記スリットに内装したバネの弾発力で外筒に係合して前記内筒を係止するよう付勢されており、他方、前記外筒の内周面に内筒の挿入方向に沿って前記ストッパーの挿入ガイド溝を形成し、かつ挿入ガイド溝の適所に内筒装着時にストッパーの上端を係止する突条を周方向に沿って形成することにより内筒が外筒内に抜け止めされ、前記挿通孔に前記内筒交換キーを挿入すると、前記バネの弾発力に抗してストッパーが引き下げられて外筒との係合が解かれるようになっており、さらに前記突条がストッパーの挿入方向に沿って後傾させてあり、内筒の挿入時にストッパーが該突条の後傾部分で押し下げられて、内筒が無理なく外筒内に装着されるようにしたことを特徴とする内筒交換式のシリンダ錠。
【請求項２】
外筒が、その内周面に内筒の挿入方向に沿って前記ストッパーの他端の副挿入ガイド溝を形成されていることを特徴とする請求項1記載の内筒交換式のシリンダ錠。
【考案の詳細な説明】
【技術分野】
【０００１】
本考案は、内筒交換式のシリンダ錠に関し、さらに詳しくはキーの紛失等で錠交換の必要性が生じたとき、内筒交換キーを用いて内筒だけを交換できるよう形成した内筒交換式のシリンダ錠に関するものである。
【背景技術】
【０００２】
従来この種のシリンダ錠としては、下記のような先行技術が知られている。
１）  特開平３ー１４７９８８号公報（特許文献１参照）
２）  実公平５ー４３１７１号公報（特許文献２参照）
３）  実開平２ー９９１６８号公報（特許文献３参照）
４）  特開平２ー３８６７４号公報（特許文献４参照）
５）  特開平２ー３８６７５号公報（特許文献５参照）
６）  特開平７ー２２９３３２号公報（特許文献６参照）
特許文献１および特許文献２の従来例では、内筒の後端に鍵孔に連通して直交状にスリットを形成し、このスリット内に内筒交換キーの先端部で押し上げる昇降体を配設し、またスリットを延長した内筒の外周面位置に係合溝を形成している。そしてこのスリットに連通するよう外筒にもスリットを形成し、このスリット内にストッパーを収納して環状バネで内方に付勢することにより、施錠時は該ストッパーが前記係合溝に係合し、開錠時は前記昇降体で押し上げられて内筒の係止状態を解除するようになっている。
特許文献３の従来例では、内筒の後端の外周面に鍵孔と連通状に係止溝を形成し、この係止溝と連通するスリットを外筒に形成し、このスリット内にバネで常時内方に弾発される係止板を収納させ、この係止板を内筒交換キーの先端部で押し上げて内筒の係止状態を解くよう形成したものである。
【０００３】
特許文献４の従来例は、シリンダ錠の外筒を扉に固定された受け座の内孔に摺動可能に嵌装し、外筒を貫通してその半径方向に移動可能に案内され、カラーの回動によってその移動を制御される係止ピンの外端部を、受け座の内孔面に開口した係止孔に係入させることによりシリンダを受け座に固定するようにするとともに、合鍵の先端部のみを長くした着脱用鍵を鍵孔に挿入したとき、シリンダの内端部に設けられたクラッチ体を動かして内筒と力ラーとを一体的に連結し、カラーを着脱用鍵によって回動きせて係止ピンを係止孔より抜き外することにより、シリンダと受け座との係合を解いてシリンダを自由にする        ようにしたので、シリンダの交換が可能となるようにしている。
特許文献５の従来例では、キーを挿入したときにタンブラーが整列してサイドバーがタンブラーの溝に係合して内筒を回転可能とするとともに、ストッパーの外筒との係合を外して内筒を抜き取りできるようにしている。
特許文献６の従来例は、内筒を外筒に係止させるストッパーを、スリット内にバネで常時外方に弾発状に収納させるとともに、ストッパーの上端はバネの弾発力で外筒の内周面に常時当接させ、ストッパーの下端をキーの先端部と係合自在に形成しておき、また外筒の内周面に、施錠時にストッパーの上端の前面を係止する突条を周方向に沿って形成した上、開錠時にこの係止状態を解除する切欠部を突条に形成したものである。
【特許文献１】特開平３ー１４７９８８号公報
【特許文献２】実公平５ー４３１７１号公報
【特許文献３】実開平２ー９９１６８号公報
【特許文献４】特開平２ー３８６７４号公報
【特許文献５】特開平２ー３８６７５号公報
【特許文献６】特開平７ー２２９３３２号公報
【考案の開示】
【考案が解決しようとする課題】
【０００４】
ところで特許文献１および特許文献２の従来例の場合は、内筒だけではなく外筒にもスリットを形成しなければならず、また各スリット内に昇降体やストッパーを収納させる必要があった。したがってこの従来例によると、加工コストや部品コスト、さらには組立てコストがかかり、その結果製品の価格が高くなるという欠点があった。
またこの特許文献１および特許文献２の従来例では、内筒交換キーの先端部で昇降体を介してストッパーを押し上げ、内筒の係止状態を解除する仕組みであったから、ストッパーは内筒交換キーで間接的に制御されるものであった。そのためこの従来例の場合、内筒の係止状態を解除する際、キーの操作性を円滑にできない嫌いがあった。
【０００５】
特許文献１ないし特許文献３の従来例の場合は、いずれも外筒に、ストッパーや係止板を収納するスリットを形成し、これらの部品をバネで内方に弾発させ、内筒の外周面の係合溝にこれらの部品を係止させる仕組みであったから、これらの部品が露出することによる不利益があった。すなわち従来例では、外筒のスリットからシリンダ錠内に不純物や水分等が侵入し易く、その結果耐蝕性、耐薬品性、耐衝撃性等の低下を招き、用途上、取付箇所に制約を受けるという問題点があった。
【０００６】
特許文献４の従来例の場合は、引き抜く筒状部分を２重にした複雑な構造を有している。
特許文献５の従来例の場合は、キーを挿入したときにタンブラーが整列し、サイドバーがタンブラーの溝に係合して内筒を回転可能とするという複雑な機構を採用している。
特許文献６も含めて前記各特許文献の従来例においては、いずれも内筒を外筒に係合させる際に内筒を所定の角度回転する必要があり、したがって内筒を外筒から抜き取る際にも鍵穴に内筒交換キーを挿通するだけでなく、内筒を所定の角度回転するという操作が必要があって手間がかかるという問題があった。
すなわち、多数のシリンダ錠の内筒を一括して交換する必要ができたときに、鍵穴に内筒交換キーを挿通するだけでなく、内筒を所定の角度回転する操作を要求されるため、前記内筒の交換に多大な手間がかかっており、内筒を交換する作業者に大きな負担となっていた。
【０００７】
本考案は、このような従来品の問題点を解消しようとするものである。すなわち本考案の技術的課題は、内筒にスリットやストッパーを設けるだけで内筒交換を可能にし、加工コスト、部品コスト、さらには組立てコストを大幅に低減させ、内筒交換キーで直接内筒の係止状態を解除できるようにしてキー操作をし易くするとともに、内筒を外筒にはめ込むだけで両者が係合し、内筒を所定の角度回転するという操作を不要とした内筒交換式のシリンダ錠を提供することにある。
【課題を解決するための手段】
【０００８】
本考案の内筒交換式のシリンダ錠は、前記課題を解決するため、鍵孔に連通して直交状に形成されたスリットを有する内筒と、この内筒が装填される外筒とを備え、前記鍵孔に挿し込む内筒交換キーの操作で内筒が外筒から抜き取り自在に形成された内筒交換式のシリンダ錠において、前記スリット内に平板状で内部に内筒交換キーの挿通孔を形成したストッパーをはめ込み、かつ該ストッパーはスリット内において上端が前記スリットに内装したバネの弾発力で外筒に係合して前記内筒を係止するよう付勢されており、他方、前記外筒の内周面に内筒の挿入方向に沿って前記ストッパーの挿入ガイド溝を形成し、かつ挿入ガイド溝の適所に内筒装着時にストッパーの上端を係止する突条を周方向に沿って形成することにより内筒が外筒内に抜け止めされ、前記挿通孔に前記内筒交換キーを挿入すると、前記バネの弾発力に抗してストッパーが引き下げられて外筒との係合が解かれるようになっており、さらに前記突条がストッパーの挿入方向に沿って後傾させてあり、内筒の挿入時にストッパーが該突条の後傾部分で押し下げられて、内筒が無理なく外筒内に装着されるようにしたことを特徴とするものである。
【０００９】
また本考案の内筒交換式のシリンダ錠は、前記外筒が、その内周面に内筒の挿入方向に沿って前記ストッパーの他端の副挿入ガイド溝を形成されていることをも特徴とするものである。
【考案の効果】
【００１０】
本考案では、前記ストッパーの上端を係合させる突条がストッパーの挿入方向に沿って後傾させてあり、内筒の挿入時にストッパーが該突条の後傾部分で押し下げられて、内筒が無理なく外筒内に装着されるようになっている。
したがって、内筒を外筒にはめ込むだけで両者が係合し、内筒を所定の角度回転するという操作が不要となって内筒の交換にかかる手間を大幅に軽減した内筒交換式のシリンダ錠を提供することが可能である。
【００１１】
また本考案の内筒交換式のシリンダ錠によれば、内筒交換キーを挿入してストッパーを引き下げるだけで内筒の抜き取りが可能となり、内筒の抜き取り操作を迅速化できるという利点がある。
【考案を実施するための最良の形態】
【００１２】
以下、本考案の内筒交換式のシリンダ錠の好適な実施の形態を添付図面に従って詳細に説明する。
図１は本考案の内筒交換式のシリンダ錠の１実施例を示す正面図、図２はその背面図、図3はその斜視図、図４は外筒の正面図、図５は外筒の背面図、図６は外筒を透視した状態の側面図、図７は内筒の斜視図、図８は内筒を装着する前の断面図、図９は内筒を装着した後の断面図、図１０は内筒交換キーを挿入した状態の断面図である。
【００１３】
本考案の内筒交換式のシリンダ錠の１実施例を示す図１ないし図３、および図７において、１１は内筒、１２はこの内筒１に軸方向に沿って形成された鍵孔である。また１３は、この鍵孔１２に連通して内筒１１の後端に直交状に形成されたスリットである。
他方、２１はこの内筒１が装填される外筒で、前記鍵孔１２に挿し込む内筒交換キー３１の操作により、内筒１１が外筒２１から抜き取り自在に形成されている。
【００１４】
まず図１ないし図６において、内筒１１はその後端に直交状に形成したスリット１３内に、平板状でかつ内部に内筒交換キー３１の挿通孔１５を形成したストッパー１４が取り付けされている。該ストッパー１４は前記スリット１３内において、その上端がスリット１３に内装したバネ（図示せず）の弾発力で外筒２１に係合して前記内筒１１を係止するよう付勢されている。
【００１５】
このバネは、従来のタンブラピン弾発用のバネの場合と同様に、ストッパー１４の側辺にバネの係合片を突設し、該係合片と内筒１１内の対向部分の間に装着することにより、内筒１１内に取り付けることができる。このバネは前記ストッパー１４を常時外向きに付勢し、前記ストッパー１４の頭部から押し下げる圧力が加わった場合や、内筒交換キー３１の挿通孔１５に内筒交換キー３１が挿通されて押し下げる圧力が加わった場合に、ストッパー１４の移動を可能とするものである。
【００１６】
他方、前記外筒２１の内周面には前記内筒１１の挿入方向に沿って前記ストッパー１４をスムーズに挿入するための挿入ガイド溝２２が形成してあり、かつ該挿入ガイド溝２２の適所には内筒１１を装着する時にストッパー１４の上端を係止する突条２３が周方向に沿って形成されている。
したがって、内筒１１が外筒２１内にはめ込まれた時にこのストッパー１４で抜け止めされ、前記挿通孔１５に前記内筒交換キー３１を挿入すると、前記バネの弾発力に抗してストッパー１４が引き下げられ、前記外筒２１との係合が解かれるようになっているのである。
【００１７】
さらに前記突条２３は前記ストッパー１４の挿入方向に沿って後傾させてあるため、外筒２１内へ内筒１１を挿入する時に、ストッパー１４は前記突条２３の後傾部分２４に沿って押し下げられながら突条２３を乗り越えるので、内筒１１は無理なく外筒２１内に装着されるのである。
前記突条２３の後傾部分２４の角度は、約４５°程度が望ましいが、そのような角度に限定するものではなく、前記ストッパー１４が該突条２３の後傾部分２４によって押し下げられつつ突条２３を乗り越えることが可能であればよい。
【００１８】
また、前記外筒２１はその内周面であって前記挿入ガイド溝２２と対向する面に、前記内筒１１の挿入方向に沿って前記ストッパー１４の他端の副挿入ガイド溝２５が形成されている。
この副挿入ガイド溝２５は、外筒２１内へ内筒１１を挿入する時に、前記ストッパー１４が前記突条２３の後傾部分２４に沿って押し下げられながら突条２３を乗り越える際、その他端が内筒１１の反対側から突出するので、その突出部分を外筒２１の内奥へ押し込むことができるようにしている。
図において２６は外筒２１の後部に取り付けた背面板である。
【００１９】
なお図１において、３２は内筒１１の外周方向に張り出した前面カバーで、その一部が扇形に切り欠いてあり、外筒２１の前面の着色部分３３が該切欠き部３４から露出するようになっている。また前記着色部分３３は、内筒１１が開錠位置にあるときに切欠き部３４から露出する部分（図４の上部）においては青色に、内筒１１が施錠位置にあるときに切欠き部３４から露出する部分（図４の下部）においては赤色に着色されている。
このように、内筒１１の回動とともに外筒２１の前面の着色部分３３が該切欠き部３４から露出するようにしたので、現在内筒１１が開錠位置にあるのか、あるいは施錠位置にあるのかを簡単に認識することができる。
【００２０】
図７は本考案に使用される内筒１１を示す斜視図で、４１は鍵孔１２を開閉するよう、内筒１１の長さ方向に沿って組み込まれるシャッター片であり、該シャッター片４１は平板状でかつ内部に内筒交換キー３１の挿通孔（図示せず）を形成してある。このシャッター片４１は、バネ（図示せず）で所定の向きに弾発されて常時は鍵孔１２を閉塞し、通常のキーや内筒交換キー３１の挿し込み操作で鍵孔１２を開放するよう形成されている。
【００２１】
次に図８ないし図１０を用いてこの実施例の作用を説明する。
先ず、図７の状態から図８の状態になるよう、内筒１１を外筒２１内に押し込む。その際、内筒１１から外方に突出したストッパー１４は前記外筒２１に形成した挿入ガイド溝２２に案内されて移動する。
そして、前記ストッパー１４が突条２３の後傾部分２４によって押し下げられつつ突条２３を乗り越え、内筒１１が所定位置まで押し込まれる。その際、前記ストッパー１４の押し下げに応じてストッパー１４の他端も副挿入ガイド溝２５を通って突条２３位置を通り過ぎ、内筒１１は所定位置まで押し込まれる。
このように、前記内筒１１はストッパー１４に加えられるバネの弾発力に抗して押し込むだけの極めて簡単な操作で外筒２１内にはめ込まれ、内筒１１は外筒２１に確実に装着される。
このシリンダ錠を使用するには、通常のキーを用いて鍵孔１２から挿通し、所定角度だけ回動させることにより施錠することができ、また反対側に回動することにより開錠することができる。
【００２２】
次に外筒２１内から内筒１１を引き抜く場合は、内筒交換キー３１を鍵孔１２に挿し込む。ストッパー１４の前記挿通孔１５へ前記内筒交換キー３１が挿入されるに連れて、前記バネの弾発力に抗してストッパー１４が引き下げられ、図１０に示すように前記外筒２１の突条２３との係合が解かれる。
【００２３】
次に使用者は、この状態で内筒交換キー３１を引き抜くと、内筒交換キー３１とストッパー１４やシャッター片４１との係合により、そのまま内筒１１も外筒２１から難なく引き抜かれる。
このようにして、必要に応じて簡単に内筒１１を簡単に交換することが可能となり、内筒１１の抜き取り操作を極めて迅速に行なうことができるようになる。
【産業上の利用可能性】
【００２４】
以上説明したように、本考案は内筒を外筒にはめ込むだけで両者が係合し、内筒を所定の角度回転するという操作が不要となって内筒の交換にかかる手間を大幅に軽減した内筒交換式のシリンダ錠を提供することを可能とした。
もちろん本考案の内筒交換式のシリンダ錠は、タンブラーピンを使用するシリンダ錠にも適用することが可能である。
【図面の簡単な説明】
【００２５】
【図１】本考案の内筒交換式のシリンダ錠の１実施例を示す正面図である。
【図２】その背面図である。
【図３】その斜視図である。
【図４】外筒の正面図である。
【図５】外筒の背面図である。
【図６】外筒を透視した状態の側面図である。
【図７】内筒の斜視図である。
【図８】内筒を装着する前の断面図である。
【図９】内筒を装着した後の断面図である。
【図１０】内筒交換キーを挿入した状態の断面図である。
【符号の説明】
【００２６】
１１  内筒
１２  鍵孔
１３  スリット
１４  ストッパー
１５  挿通孔
２１  外筒
２２  挿入ガイド溝
２３  突条
２４  後傾部分
２５  副挿入ガイド溝
２６  背面板
３１  内筒交換キー
３２  前面カバー
３３  着色部分
３４  切欠き部
４１  シャッター片
【図１】
0003131463.tif 000003
【図２】
0003131463.tif 000004
【図３】
0003131463.tif 000005
【図４】
0003131463.tif 000006
【図５】
0003131463.tif 000007
【図６】
0003131463.tif 000008
【図７】
0003131463.tif 000009
【図８】
0003131463.tif 000010
【図９】
0003131463.tif 000011
【図１０】
0003131463.tif 000012